(57)【特許請求の範囲】
【請求項１】
コンピューターにデータを伝送する無線ネットワーク装置であって、
本体と、
着脱可能に前記本体に被覆されるキャップと、
前記キャップを貫いて前記本体に固定される吊環と、
前記吊環の中に設けられるアンテナと、を備え、
前記キャップは滑動可能に前記吊環に装着され、前記アンテナは前記本体に対して一定の角度で折り曲げることができ、
前記吊環は２つの固定端を備え、前記２つの固定端はそれぞれ前記キャップを貫通して前記本体に固定されることを特徴とする無線ネットワーク装置。
【請求項２】
前記吊環は、柔軟な材料で製作された中空の管状体であり、前記アンテナは記憶効果を有する金属ワイヤ又は別の繰り返して湾曲できる導電性材料からなることを特徴とする請求項１に記載の無線ネットワーク装置。
【請求項３】
前記キャップを前記吊環に沿って一定の距離を滑動させた後、前記吊環を前記本体の一側へ牽引した場合、前記キャップが前記吊環に連動して前記本体に向けて動くことを特徴とする請求項２に記載の無線ネットワーク装置。
【請求項４】
前記本体は、
ＵＳＢコネクタと、
前記ＵＳＢコネクタに接続する係合端と、
前記係合端に隣り合う切欠部と、
前記切欠部の底面に開設される位置決め孔と、
を備えることを特徴とする請求項３に記載の無線ネットワーク装置。
【請求項５】
前記キャップの一端には前記切欠部内に嵌め込まれる係止部が突設され、前記吊環を前記本体の一側に向けて一定の角度に折り曲げた場合、前記キャップの係止部が前記位置決め孔に挿入されて、前記吊環及び前記アンテナは前記本体に対して位置決めされることを特徴とする請求項４に記載の無線ネットワーク装置。
【請求項６】
前記吊環は、前記２つの固定端の間に位置する手提げ部をさらに備えることを特徴とする請求項１に記載の無線ネットワーク装置。
【請求項７】
前記本体の両側にそれぞれ装着用穴を有する２つの装着部が突設されることを特徴とする請求項６に記載の無線ネットワーク装置。
【請求項８】
前記キャップは、前記装着部に当接して組み合せる滑動部を含み、各滑動部には前記装着用穴に対応する貫通孔が開設され、前記吊環の固定端が前記貫通孔を貫いて前記本体の装着用穴内に係止されることを特徴とする請求項７に記載の無線ネットワーク装置。
【請求項９】
前記アンテナは接続端と信号受け部を備え、前記接続端が前記装着用穴から前記本体の内部まで延伸し、前記信号受け部が前記吊環内に設けられていることを特徴とする請求項７に記載の無線ネットワーク装置。
【発明の詳細な説明】
【技術分野】
【０００１】
本発明は、無線ネットワーク装置に係り、特に小型の無線ネットワーク装置に関するものである。
【背景技術】
【０００２】
無線通信システムの発展に伴って、無線ＵＳＢ情報端末等の無線ネットワーク装置は無線通信の重要な手段になった。従来の無線ネットワーク装置のほとんどは、本体及びキャップを備える。使用する際に、前記キャップを取り外してから、前記本体をＵＳＢインタフェースを介してコンピューターに接続すると、データを伝送することができる。しかし、これらの無線ネットワーク装置の外観はあまりにも普通であって、新規性に乏しく、使用中にそのキャップも紛失し易い。
【発明の概要】
【発明が解決しようとする課題】
【０００３】
上述した問題に鑑みて、本発明は、外観が新規性に富み、且つキャップを紛失し難い無線ネットワーク装置を提供することを目的とする。
【課題を解決するための手段】
【０００４】
本発明に係る無線ネットワーク装置は、コンピューターにデータを伝送することに用いられ、且つ本体と、着脱可能に前記本体に被覆されるキャップと、前記キャップを貫いて前記本体に固定される吊環と、前記吊環の中に設けられるアンテナと、を備える。前記キャップは滑動可能に前記吊環に装着され、前記アンテナは前記本体に対して一定の角度で折り曲げられる。前記吊環は２つの固定端を備え、前記２つの固定端はそれぞれ前記キャップを貫通して前記本体に固定される。
【発明の効果】
【０００５】
従来の技術と比べて、本発明に係る無線ネットワーク装置を使用する場合、前記キャップを前記吊環に沿って一定の距離を滑動させてから、前記アンテナを収納している前記吊環を前記本体に対して一定の角度に折り曲げて、前記キャップを前記本体の上面に固定すするため、前記無線ネットワーク装置の外観が新規性に富み、且つ前記キャップも紛失し難い。
【図面の簡単な説明】
【０００６】
【図１】本発明の実施形態に係る無線ネットワーク装置の立体分解図である。
【図２】図１に示す無線ネットワーク装置のキャップが閉じている場合の組立図である。
【図３】図１に示す無線ネットワーク装置のキャップが開いている場合の組立図である。
【図４】図１に示す無線ネットワーク装置の使用状態を示す図である。
【発明を実施するための形態】
【０００７】
図１及び図２に示すように、本発明の実施形態に係る無線ネットワーク装置１００は、本体１０と、前記本体１０に固定される吊環３０と、前記本体１０に着脱可能に係合され且つ前記吊環３０上で滑動できるキャップ２０と、前記吊環３０内に設けられているアンテナ４０と、を備える。
【０００８】
前記本体１０は、側壁がほぼ弧状を呈す長方体であるハウジング１０１及び前記ハウジング１０１の内部に設置された無線通信機能を実現する各種の電子部品（図示せず）を備える。前記ハウジング１０１の一端には、コンピューターに挿入して前記コンピューターに無線ネットワーク信号を伝送するＵＳＢコネクタ１２と、前記ＵＳＢコネクタ１２に接続する係合端１２１とが設置されている。前記ハウジング１０１はより狭い２つの側壁１４及びより広い２つの表壁１６を含む。各側壁１４の前記係合端１２１に近接する一端には装着用穴１４２を有する装着部１４１が突設されている。各表壁１６の前記係合端１２１に近接する一端の中部には、半楕円形の切欠部１６２が凹んで設置されており、前記切欠部１６２の底面には、位置決め孔１２２が開設されている。
【０００９】
前記キャップ２０は、キャビチを有するハウジング２２と、２つの滑動部２４と、２つの係止部２６と、を備える。前記ハウジング２２は、開口端２８を有し、前記開口端２８を前記本体１０の係合端１２１に当接することにより前記キャップ２０を前記ＵＳＢコネクタ１２に被せて、前記無線ネットワーク装置１００を使用しない時に塵、水分などに汚染されることを防止する。前記２つの滑動部２４は、それぞれ前記開口端２８の相対する両側に突設されており、前記各々の滑動部２４には、前記本体１０の装着用穴１４２に対応する貫通孔２４２が開設されている。前記２つの係止部２６は、前記ハウジング２２の開口端２８から対称的に突出し、且つ前記２つの係止部２６は半楕円形であるため、前記２つの半楕円形の切欠部１６２に嵌め込むことができる。前記係止部２６の末端の寸法及び形状が前記位置決め孔１２２に対応するから、前記係止部２６を前記位置決め孔１２２内に挿入できる。
【００１０】
前記キャップ２０を前記ＵＳＢコネクタ１２に被せると、前記係止部２６全体は前記凹状切欠部１６２内に嵌め込まれ、前記滑動部２４は前記本体１０の装着部１４１に当止して、前記２つの貫通孔２４２はそれぞれ対応する装着用穴１４２に合わせた位置に配置される。
【００１１】
前記吊環３０は、柔軟な材料で製作された中空の管状体であって、相対する２つの固定端３２及び孤状に折り曲げられた手提げ部３４を含む。前記２つの固定端３２はそれぞれ前記キャップ２０の２つの貫通孔２４２を貫いてから、前記本体１０の装着用穴１４２内に係止するため、前記吊環３０は前記本体１０上に保持される。このように、前記キャップ２０と前記本体１０とが前記吊環３０を介して一体に連接され、前記キャップ２０の紛失を防止する。
【００１２】
前記アンテナ４０は、記憶効果を有する金属ワイヤ又は別の繰り返して湾曲できる導電性材料からなり、接続端４２及び前記接続端４２に連接する信号受け部４４を含む。前記接続端４２は、前記装着用穴１４２から前記本体１０内に伸びて前記ハウジング１０１内部の電子部品に電気的に接続されるので、前記アンテナ４０の接地又は信号伝送機能を実現できる。前記アンテナ４０の信号受け部４４を前記吊環３０内に収納して保護する。
【００１３】
図３及び図４に示すように、前記無線ネットワーク装置１００を使用してコンピューターにデータを伝送する場合、まず、前記キャップ２０を前記本体１０から取り外してから、前記キャップ２０の滑動部２４を前記吊環３０に沿って前記本体１０から離れる方向へとスライドさせる。次に、前記キャップ２０と前記本体１０との間の距離が所定距離に達すると、前記吊環３０を牽引して前記本体１０のいずれか表壁１６へ向けて動かす。前記キャップ２０は前記吊環３０に連動して回転して、前記係止部２６の端部が相応する位置決め孔１２２内に挿入される。このように、前記キャップ２０を前記本体１０に固定し、前記アンテナ４０の信号受け部４４も前記本体に対して一定の角度に折り曲げられて、よい受信位置に位置決めできる。
【００１４】
また、使用中、必要に応じて前記位置決め孔１２２の位置又は前記係止部２６の長さを変更することにより、前記信号受け部４４の位置を調節して、異なる受信効果を得ることができる。
【００１５】
また、前記吊環３０及び前記アンテナ４０は本実施形態に掲示された形状に限定されなく、別の形状であってもよい。
【００１６】
また、本発明の位置決め孔１２２の個数は１つであってもよく、相応に前記係止部２６の個数も１つであってよい。この場合、前記アンテナ４０は前記本体１０の位置決め孔１２２を有する一側に位置決めされる。
【００１７】
以上、本発明の好適な実施形態について詳細に説明したが、本発明は前記実施形態に限定されるものではなく、本発明の範囲内で種々の変形、又は修正が可能であり、該変形、又は修正も本発明の特許請求の範囲内に含まれるものであることはいうまでもない。
【符号の説明】
【００１８】
１００    無線ネットワーク装置
１０      本体
１２      ＵＳＢコネクタ
１４      側壁
１６      表壁
２０      キャップ
２２，１０１  ハウジング
２４      滑動部
２６      係止部
２８      開口
３０      吊環
３２      固定端
３４      手提げ部
４０      アンテナ
４２      接続端
４４      信号受け部
１２１    係合端
１２２    位置決め孔
１４１    装着部
１４２    装着用穴
１６２    凹状切欠部
２４２    貫通孔
【図１】
0005399950.tif 000002
【図２】
0005399950.tif 000003
【図３】
0005399950.tif 000004
【図４】
0005399950.tif 000005